(57)【特許請求の範囲】
【請求項１】
給油作業の内容設定手段と該内容設定手段により設定された給油内容に応じた給油代金を受け付ける現金入金手段とを有する外設機と、
前記外設機により処理された給油内容に基づいて給油動作を制御する計量機と、
前記計量機で行った給油動作を受けて給油代金の精算を行う精算機と、
前記外設機、計量機、及び精算機における処理情報を管理するＰＯＳ端末と、を備え、
前記外設機は、前記現金入力手段に入金して給油する現金入金手段使用モード、又は、前記現金入力手段は使用不可とする現金入金手段不使用モードで動作し、
前記外設機は、入金しようとする給油代金の指定金額を入力する入力手段と、前記現金入金手段不使用モード時、該入力手段により入力された指定金額と紐付けた注文ＩＤを含む注文票を印刷する印刷手段と、を有し、
前記精算機は、前記注文票の注文ＩＤを読み取る読取手段と、該読取手段で読み取った注文ＩＤの指定金額に従う給油代金を受け付ける現金入金手段と、前記指定金額と入金金額とを比較する比較手段と、入金金額が指定金額以上である場合に前記計量機による給油動作を許可する許可手段と、を有することを特徴とするＰＯＳシステム。
【請求項２】
前記外設機は、マニュアル操作で前記現金入金手段使用モードと現金入金手段不使用モードを切り替える切替入力手段を有することを特徴とする請求項１に記載のＰＯＳシステム。
【請求項３】
前記外設機は、所定の時間帯で前記現金入金手段使用モードと現金入金手段不使用モードを切り替える切替設定手段を有することを特徴とする請求項１に記載のＰＯＳシステム。
【請求項４】
前記外設機は、前記外設機の内部における現金の有無を検知する検知手段と、前記現金入金手段不使用モードに切り替わったとき該検知手段が現金の存在を検知した際には現金収容情報を報知する報知手段と、を有することを特徴とする請求項１乃至３の何れか一項に記載のＰＯＳシステム。
【請求項５】
前記現金入金手段不使用モードに切り替わる時刻もしくは前記現金入金手段不使用モードに切り替わる時間帯の所定の時間前に、前記外設機の現金の回収を促す旨のメッセージを出力する手段を有することを特徴とする請求項３に記載のＰＯＳシステム。
【請求項６】
給油作業の内容設定を受けて設定された給油内容に応じた給油代金を受け付け、給油内容に基づく給油動作を制御し、給油動作の後に給油代金の精算処理を行うＰＯＳシステムの制御方法であって、
現金入力手段に入金して給油する現金入金手段使用モード、又は、現金入力手段は使用不可とする現金入金手段不使用モードで外設機の制御を行い、
前記現金入金手段不使用モード時、前記外設機で、入金しようとする給油代金の指定金額を入力し、入力された指定金額と紐付けた注文ＩＤを含む注文票を印刷し、
精算機で、前記注文票の注文ＩＤを読み取り、読み取った注文ＩＤの指定金額に従う給油代金を受け付け、前記指定金額と入金金額とを比較し、入金金額が指定金額以上である場合に給油動作を許可することを特徴とするＰＯＳシステムの制御方法。
【発明の詳細な説明】
【技術分野】
【０００１】
本発明は、ＰＯＳシステムに関し、特にセルフ式の給油所における現金決済を管理するＰＯＳシステム、外設機、及びＰＯＳシステムの制御方法に関する。
【背景技術】
【０００２】
セルフ式ガソリンスタンド等の店舗に設置されるＰＯＳシステム（販売時点管理システム）として、例えば、精算機に追加入金機能を持たせて釣銭用小銭の補給回数を減らすセルフサービスの給油システムが知られている（特許文献１）。この給油システムでは、セルフサービスのガソリンスタンドで、指定の油種及び油量と前金とによって給油機を制御する外設機と、利用者に追加入金するか否かを選択させて、追加入金額と前金と給油代金とによって釣銭を払い出す精算機とを備えている。
【０００３】
また、同様の技術として、精算に必要な取引データを記憶した媒体を発行し、顧客自身がこの発行された媒体を用いて出口近傍に設置された精算装置で取引金額の精算を行い、店舗から退出する取引処理システムが知られている（特許文献２）。
【０００４】
通常、セルフ式の給油所（ガソリンスタンド）の外設機は紙幣入金機を具備している。セルフ給油を行う顧客は先に外設機に現金を投入し、投入した金額を担保に等価の数量までの給油が許可される。セルフ給油所の係員は店内に居て、屋外の給油場所付近には係員が居ない。特に夜間や明け方には係員一名で運営する給油所が多い。つまり給油場所付近は無人に近い状態で、外設機の紙幣入金機に現金が収納されていることになる。
【先行技術文献】
【特許文献】
【０００５】
【特許文献１】特開２００５−０４７５５８号公報
【特許文献２】特開平０８−０３０８７０号公報
【発明の概要】
【発明が解決しようとする課題】
【０００６】
このように、無人に近い状態で外設機の紙幣入金機に現金が収納されているため、外設機の紙幣入金機に収納されている現金への窃盗行為が発生するケースがある。外設機への防盗対策として強度強化も実施されるが、多台数の外設機への防盗対策には費用が嵩む問題がある。
【０００７】
そこで、本発明は、上記問題を解決するものであって、すなわち、本発明の目的は、夜間等における防犯性を向上するＰＯＳシステム、外設機、及びＰＯＳシステムの制御方法を提供することにある。
【課題を解決するための手段】
【０００８】
上述の課題に鑑み、本発明の一態様は、給油作業の内容設定手段と該内容設定手段により設定された給油内容に応じた給油代金を受け付ける現金入金手段とを有する外設機と、上記外設機により処理された給油内容に基づいて給油動作を制御する計量機と、上記計量機で行った給油動作を受けて給油代金の精算を行う精算機と、上記外設機、計量機、及び精算機における処理情報を管理するＰＯＳ端末と、を備え、上記外設機は、上記現金入力手段に入金して給油する現金入金手段使用モード、又は、上記現金入力手段は使用不可とする現金入金手段不使用モードで動作することを特徴とするＰＯＳシステムに関する。
【０００９】
また、本発明の他の態様は、セルフ式の給油所における外設機において、給油作業の内容設定手段と、該内容設定手段により設定された給油内容に応じた給油代金を受け付ける現金入金手段とを有し、上記現金入力手段に入金して給油する現金入金手段使用モード、又は、上記現金入力手段は使用不可とする現金入金手段不使用モードで動作することを特徴とする外設機に関する。
【００１０】
また、本発明の別の態様は、給油作業の内容設定を受けて設定された給油内容に応じた給油代金を受け付け、給油内容に基づく給油動作を制御し、給油動作の後に給油代金の精算処理を行うＰＯＳシステムの制御方法であって、現金入力手段に入金して給油する現金入金手段使用モード、又は、現金入力手段は使用不可とする現金入金手段不使用モードで外設機の制御を行うことを特徴とするＰＯＳシステムの制御方法に関する。
【発明の効果】
【００１１】
本発明によれば、夜間等の特定の時間帯において無人に近い状態で、外設機内の現金入金部に現金が収納されていることを回避可能となるため防犯性の向上を実現することができる。
【００１２】
本発明の更なる利点及び実施形態を、記述と図面を用いて下記に詳細に説明する。
【図面の簡単な説明】
【００１３】
【図１】本発明の実施形態によるＰＯＳシステムの概略構成を示すブロック図である。
【図２】図１に示すＰＯＳシステムのＰＯＳ端末の構成を示すブロック図である。
【図３】図１に示すＰＯＳシステムの外設機の構成を示すブロック図である。
【図４】図１に示すＰＯＳシステムの精算機の構成を示すブロック図である。
【図５】図３に示す外設機の処理フローを説明するためのフローチャートである。
【図６】図４に示す精算機の処理フローを説明するためのフローチャートである。
【発明を実施するための形態】
【００１４】
以下、本発明の実施形態について図面を参照しつつ説明する。但し、以下に説明する実施形態によって本発明の技術的範囲は何ら限定解釈されることはない。
【００１５】
まず、本発明の実施形態によるＰＯＳシステム１について図面を参照しつつ詳細に説明する。
【００１６】
図１は、本実施形態によるＰＯＳシステム１の概略構成を示す図である。本発明によるＰＯＳシステム１においては、セルフ給油に来店した顧客は、給油前に外設機２０に設置されたタッチパネルディスプレイ２３などで現金決済またはクレジットカード、プリペイドカード等による決済手段の指定、満タン給油または数量・金額指定給油の指定などの指定操作を行う。所定の入力が完了すると計量機３０は給油可能な状態となり、顧客はセルフ給油を行うことができる。
【００１７】
セルフ式の給油所におけるＰＯＳシステム１においては、店内に設置されるＰＯＳ端末１０と、屋外の給油場所にある複数の計量機３０（３０−１から３０−ｎ）の近傍に設置される複数台の外設機２０（２０−１から２０−ｎ）と、複数の外設機２０に対する精算機能を有する精算機４０とで構成されている。これらの各装置は、例えばＬＡＮ（Ｌｏｃａｌ  Ａｒｅａ  Ｎｅｔｗｏｒｋ）等の回線を介して相互に接続されており、給油情報や現金投入情報などの各種データを通信する。なお、本発明に関連性の薄い機器構成に関してはその記載を省略する。また、本実施形態内では単一の機器として説明される機器を複数の分離された機器から構成してもよく、例えば、ＰＯＳ端末１０を複数のサーバやデータベースから構成してもよい。また逆に、本実施形態内では複数に分離された機器として説明される各機器を一体のものとして構成してもよく、例えば、外設機２０と計量機３０を単一の機器として構成してもよい。
【００１８】
給油所に来店した顧客は、計量機３０を使用して満タン給油を行う場合、具体的な給油量が事前に分からないので、大よその給油可能な数量に相応する金額の現金を外設機２０の紙幣入金機２１に投入する。当然、満タン給油した数量に対しては釣銭が発生することになる。外設機２０に紙幣や硬貨の釣銭払い出し機能を備えた精算装置を具備する場合は、釣銭を当該精算装置から払い出すことができる。しかしながら、精算装置を各外設機２０に備えると外設機２０に掛かるコストは決して安いものではなく、現実には実用的でない。図１に示すように、一般的に、外設機２０には紙幣入金機２１を具備させ、複数の外設機２０に対する釣銭払い出し用の精算機４０を別に設置し、顧客は精算機４０で釣銭を受け取ることとなる。
【００１９】
計量機３０で給油を行った後、外設機２０のレシート発行プリンタ２２からバーコードが印刷されたレシートが発行される。精算を行う際には、顧客が精算機４０のバーコードリーダ４１に印刷されたレシートのバーコードを読み込ませることで、紙幣入出金機４２や硬貨入出金機４３から釣銭が払い出される。
【００２０】
本発明の実施形態においては、所望の時期や特定の時間帯において、紙幣入金機２１に入金して給油する現金入金手段使用モードと紙幣入金機２１は使用不可とする現金入金手段不使用モードを切り替えることができる。通常は外設機２０の紙幣入金機２１にて顧客の入金操作を可能とするが、係員の目が届きにくい夜間や明け方、係員の休憩時間などは、外設機２０の紙幣入金機２１を使用せずに、精算機４０で入金機能を代替させる。そのため、本実施形態におけるＰＯＳシステム１は、外設機２０の紙幣入金機２１による入金操作を可能にするか否かの切替手段と、入金しようとする金額を外設機２０で入力設定する内容設定手段を有している。外設機２０の紙幣入金機２１を使用しない場合、入力した金額情報と紐付けた情報を外設機２０のレシート発行プリンタ２２でバーコードを含む注文票を印字して出力し、印字されたバーコードを精算機４０で読み取ると精算機４０が紙幣入力待ちとなる。顧客が指定された紙幣を入金するとセルフ給油許可となる。
【００２１】
図１に示す外設機２０の紙幣入金機２１が使用不可の場合、給油内容を指定した後に顧客の注文内容を印刷した注文ＩＤバーコードを含む注文票がレシート発行プリンタ２２から発行される。次に、精算機４０のバーコードリーダ４１にて注文票を読み込むと、顧客が外設機２０で注文した注文内容に対応する所定の給油代金の入金が必要である旨の表示が精算機４０から通知される。顧客が精算機４０の紙幣入出金機４２や硬貨入出金機４３で給油代金の入金を行うことで、計量機３０を使用した給油が可能となる。
【００２２】
時間帯により紙幣入金機２１を使用する現金給油を禁止し、クレジットカードやプリペイドカードの決済のみに限定する方法が考えられるが、現金給油顧客は給油できるレーンを選ぶ必要があり不便となる。そのため、本実施形態におけるＰＯＳシステム１では、精算機４０に現金入金機能を設けて、どのレーンにおいても精算機４０を用いた現金給油を可能にしている。
【００２３】
次に、本発明の実施形態によるＰＯＳシステム１を構成する各構成要素について図２から図４に基づいて詳細に説明する。図２は、本実施形態によるＰＯＳシステム１のＰＯＳ端末１０の概略構成を説明するためのブロック図である。図２に示すように、ＰＯＳ端末１０は、記憶部１０１、通信部１０２、制御部１０３、入力部１０４、出力部１０５等を備え、記憶部１０１に展開されたソフトウェアに従って制御部１０３を動作する。記憶部１０１は、例えばＲＯＭ、ＲＡＭで構成され、制御部１０３は、ＣＰＵ等で構成されている。
【００２４】
ＰＯＳ端末１０は、顧客からの外設機２０を使用した給油内容に関する注文入力を受け、通信部１０２により、注文された油種や数量等を含む入力情報を図示しないホストなどに送信する。また、ディスプレイなどの出力部１０５により顧客が行っている給油状態をオンラインで表示する。このディスプレイはタッチパネル機能を有し、係員が顧客の代わりに油種の入力等の入力操作を補助することができる。また、ＰＯＳ端末１０は、顧客の給油代金の精算を行う機能も有している。ＰＯＳ端末１０の記憶部１０１には、各油種の商品コード、油種名称、各油種の価格などの商品情報が予め記憶されている。外設機２０で設定された注文情報は記憶部１０１に記憶される。さらにＰＯＳ端末１０は、外設機２０や精算機４０内の機内現金を把握できる構成となっている。
【００２５】
次に、図３は、図１に示すＰＯＳシステム１の外設機２０の構成要素を説明するためのブロック図である。図３によると、外設機２０は、所望の給油内容を設定するための内容設定部２０１と、顧客による現金投入を受け付ける現金入金部２０２と、現金の入金を受け付ける現金入金手段使用モードと入金を不可とする現金入金手段不使用モードとを切り替える切替部２０３と、外設機２０内の現金の存否を検知する検知部２０４とを備える。また、外設機２０は、検知部２０４で外設機２０の内部に現金が収納されていることを検知した際にはその存在を係員に報知する報知部２０５、バーコード化した注文ＩＤを含む注文票を印刷する印刷部２０６、顧客の各種入力を受け付ける入力部２０７、及び顧客に料金や給油内容などの情報を表示する出力部２０８なども備えている。報知部２０５は、ＰＯＳ端末１０などの他の機器に報知したり、ＰＯＳ端末１０や外設機２０のスピーカやモニタなどから報知しても良い。なお、外設機２０は、顧客の利便性に考慮して、紙幣、硬貨、カード等の様々な支払い方法に対応している。また、内部の現金を守るための電磁ロックなどの防犯機能も施し、高信頼性を実現している。ＰＯＳ端末１０との連動により、外設機２０は操作進行状態を随時ＰＯＳ端末１０に通知している。
【００２６】
セルフ式の給油所に来店した顧客は、まずタッチパネルディスプレイなどの入力部２０７で給油についての決済方法を入力する。またタッチパネルディスプレイは出力部２０８でもあり、各種入力の選択内容をディスプレイ表示するため、顧客は可視的・直感的に選択することが可能である。選択した給油内容は内容設定部２０１で処理される。切替部２０３の設定内容に基づき、外設機２０の現金入金部２０２が使用可能か否か決定される。切替部２０３は、係員が手動で押し下げ操作を行うことができる外設機２０のそれぞれに設けられたキーなどのハードウェア（切替入力手段）の他、例えば所定の時間帯で現金入金部２０２の使用の可否を設定できるようなタイムテーブルなどを用いたソフトウェアによる切替設定手段であってもよい。タイムテーブルは、例えば外設機２０のそれぞれに備えられ、所定の時刻になるとモード切替を行う。また、タイムテーブルはＰＯＳ端末１０に備えられていてもよく、所定の時刻になると、外設機２０にモードを切り替えるコマンドを送出する。現金入金手段不使用モードに切り替える時刻や時間帯の所定の時間前（例えば２０分前）に、ＰＯＳ端末１０および／もしくは外設機２０により、紙幣の回収を促す旨のメッセージをディスプレイ表示や音声などで出力する。係員が、ＰＯＳシステム１と無線通信が行える無線端末を所持するようにして、該無線端末に紙幣の回収を促す旨のメッセージを送信するようにしてもよい。または、外設機２０の現金入金部２０２が、紙幣の有無を検知するセンサを有し、現金入金手段不使用モードに切り替わったときに、紙幣があると、その旨を外設機２０やＰＯＳ端末１０などに報知し、外設機２０内の紙幣の回収を促すものであってもよい。
【００２７】
現金入力部２０２に入金して給油する現金入金手段使用モードと、現金入力部２０２は使用不可とする現金入金手段不使用モードとの切り替えは、係員が切替部２０３であらかじめ設定することができる。外設機２０が現金入金手段使用モードに設定されている場合、顧客は外設機２０の現金入金部２０２に給油代金を投入して、設定した給油内容の給油を行う。一方、外設機２０が現金入金手段不使用モードに設定されている場合、顧客が入力部２０７で給油代金の指定金額などの給油内容の入力をした後に、入力した給油内容と紐付けた注文ＩＤを含む注文票が印刷部２０６から印刷される。顧客は、この注文票を持ち精算機４０に設置されているバーコードリーダなどの読取部４０３に注文ＩＤを読み取らせる。
【００２８】
図４に示すように、精算機４０は現金入金部４０１を備えており、顧客はこの現金入金部４０１に現金を投入することで給油を開始することが可能となる。より詳しく説明すると、精算機４０において、顧客がかざす注文票を読取部４０３で読み取り、給油内容に基づく所定の金額以上の現金が現金入金部４０１に投入されると、入金された金額が、注文された給油内容に応じた指定金額以上であるか否かが比較部４０４に比較される。投入金額が指定金額に満たない場合は引き続き顧客による入金待ち状態となる。指定金額以上の現金が現金入金部４０１に投入された場合には、計量機３０による給油動作が許可部４０５により許可される。そして給油を行った後に、釣銭の支払いがある場合には精算部４０２から釣銭が払い出される。
【００２９】
図３に示す外設機２０の説明に戻り、例えば夜間などの特定の時間帯になると、外設機２０内に現金が収納されているか否かがセンサなどの検知部２０４により検知される。現金が収納されている場合、報知部２０５により例えばその旨が係員のいるＰＯＳ端末１０や外設機２０に報知される。これにより、係員は外設機２０内の現金を適宜回収できるため、防犯対策を確実に実行可能となる。
【００３０】
次に、図１及び図３に示す外設機２０の処理フローについて、図５のフローチャートに基づき説明する。図５を参照しながら説明すると、セルフ式の給油所に来店した顧客は給油可能にするための事前操作を外設機２０で行う。まず、顧客は現金決済、クレジットカード決済、又はプリペイドカード決済のいずれかを内容設定部２０１で指定する（Ｓ５０１）。現金決済を選択した場合（Ｓ５０２、ＹＥＳ）、次に油種の選択（Ｓ５０３）と給油方法の選択（Ｓ５０４）を行う。油種は例えばレギュラー、ハイオク、又は軽油の中から選択することができる。また、給油方法は例えば数量指定給油、金額指定給油、満タン給油の中から選択することとなる。
【００３１】
外設機２０において、選択された上記給油方法毎に次の操作が異なってくる。金額指定給油を選択した場合（Ｓ５０６、ＹＥＳ）、顧客は入力部２０７などで金額指定操作を行い（Ｓ５０８）、必要金額が確定する（Ｓ５０９）。顧客が数量指定給油を選択した場合（Ｓ５０７）、顧客は数量の指定操作を行い（Ｓ５１０）、この指定した数量に応じた必要金額が演算される（Ｓ５１１）。なお、満タン給油を選択した場合は入金した金額を最大量として任意数量での給油を可能にする。数量指定では指定した数量で自動的に給油が止まり、金額指定では指定した金額に相応する数量で自動的に給油が止まる。どの給油方法も選択していない場合には顧客が選択するまで所定時間待機する状態となる（Ｓ５０５、ＮＯ、Ｓ５０６、ＮＯ、Ｓ５０７、ＮＯ）。
【００３２】
給油に必要な金額が確定した後（Ｓ５０５、ＹＥＳ、Ｓ５０９、Ｓ５１１）、外設機２０の現金入金部２０２が現金入金使用モードの場合には（Ｓ５１２、ＮＯ）、給油に必要な金額が現金入金部２０２へ顧客により投入されることとなる（Ｓ５１３）。一方、現金入金部２０２が現金入金手段不使用モードの場合（Ｓ５１２、ＹＥＳ）、顧客が外設機２０で行った給油作業の上記内容設定（金額など）の注文ＩＤを含む注文票が登録され（Ｓ５１４）、印刷部２０６から注文票が印刷される（Ｓ５１５）。注文票にはバーコード化した注文ＩＤと、例えば「ＸＸＸ円以上の金額を精算機に入金して下さい」との表示を印刷する。また、外設機２０のディスプレイなどに、例えば「精算機でバーコードを読み取らせて、ＸＸＸ円以上の金額を入金してください」との指示を表示する（Ｓ５１６）。また、この表示は、外設機２０に設置され得るスピーカなどにより音声で顧客に伝えてもよい。指定する金額は、満タン給油の場合は最低給油量、例えば１リッター分に見合う金額、指定金額給油および指定数量給油の場合は相応する金額以上の入金指示となる。
【００３３】
続いて、顧客が精算機４０に移動し、注文票の注文ＩＤ（バーコードなど）をかざすと読取部４０３で注文ＩＤを読み込み（Ｓ５１７、ＹＥＳ）、注文ＩＤの指定金額に応じた給油代金を現金入金部４０１で取り込む。顧客が注文ＩＤの指定金額以上の金額を現金入金部４０１に入金したか否かを比較部４０４で比較し、指定金額以上の金額が入金された場合に許可部４０５で計量機３０による給油動作が許可され（Ｓ５２０）、外設機２０へ送出される。そして指定された給油方法の給油許可を計量機３０に送る。入金されない又は入金金額が指定金額に満たない場合（Ｓ５１９、ＮＯ）、エラー処理となる。
【００３４】
計量機３０の給油ノズルを定位置に戻すと給油終了となり（Ｓ５２１、ＹＥＳ）、給油量を取り込む（Ｓ５２２）。実給油量に対応する金額と、予め入金した金額との差が釣銭となる。釣銭は、例えば特許第３３２２２８７号に記載のように精算機４０で受け取るように処理する。（Ｓ５２３）レシートに釣銭情報をバーコード印刷し、発行する（Ｓ５２４）。
【００３５】
ＰＯＳシステム１の精算機４０における処理フローについて図６を参照しながら詳細に説明する。まず、外設機２０の印刷部２０６で印刷された注文票のバーコードを精算機４０の読取部４０３により読み取ることによって入力すると（Ｓ６０１、ＹＥＳ）、注文ＩＤの処理が行われる。注文ＩＤがない場合（Ｓ６０２、ＮＯ）、釣銭処理のフローへ移行する。注文ＩＤがある場合（Ｓ６０２、ＹＥＳ）、注文ＩＤに紐付けられた指定金額が表示される（Ｓ６０３）。顧客が現金入金部４０１に入金をし（Ｓ６０４）、入金金額が指定金額を下回っているか（Ｓ６０５）、入金終了操作かが判断される（Ｓ６０６）。指定金額を下回る（Ｓ６０５、ＹＥＳ）、又は入金終了操作がまだであるときは（Ｓ６０６、ＮＯ）、顧客による入金操作を待つ。顧客の入金金額が指定金額以上であり（Ｓ６０５、ＮＯ）、かつ入金終了操作が行われた場合には（Ｓ６０６、ＹＥＳ）、入金金額を外設機２０に送出し（Ｓ６０７）、精算機のディスプレイなどに例えば「金額、入金終了」との表示を行う（Ｓ６０８）。
【００３６】
以上のように、本実施形態によると、夜間等の無人に近い状態で、外設機２０内の紙幣入金機２１に現金が収納されていることを回避でき、精算機４０に纏めて収納することができる。従って、防盗対策のための強度強化等は、外設機２０よりも数の少ない精算機４０だけに実施すればよく、外設機２０に防盗対策を実施する場合に比べ、安いコストで防犯性の向上を実現することができる。
【符号の説明】
【００３７】
１  ＰＯＳシステム
１０  ＰＯＳ端末
１１  タッチパネルディスプレイ
１０１  記憶部
１０２  通信部
１０３  制御部
１０４  入力部
１０５  出力部
２０  外設機
２１  紙幣入金機
２２  レシート発行プリンタ
２３  タッチパネルディスプレイ
２０１  内容設定部
２０２  現金入金部
２０３  切替部（切替入力手段、切替設定手段）
２０４  検知部
２０５  報知部
２０６  印刷部
２０７  入力部
２０８  出力部
３０  計量機
４０  精算機
４１  バーコードリーダ
４２  紙幣入出金機
４３  硬貨入出金機
４０１  現金入金部
４０２  精算部
４０３  読取部
４０４  比較部
４０５  許可部
【要約】
【課題】夜間等における防犯性を向上するＰＯＳシステム、外設機、及びＰＯＳシステムの制御方法を提供する。
【解決手段】本発明のＰＯＳシステムは、給油作業の内容設定手段と該内容設定手段により設定された給油内容に応じた給油代金を受け付ける現金入金手段とを有する外設機と、上記外設機により処理された給油内容に基づいて給油動作を制御する計量機と、上記計量機で行った給油動作を受けて給油代金の精算を行う精算機と、上記外設機、計量機、及び精算機における処理情報を管理するＰＯＳ端末と、を備え、上記外設機は、上記現金入力手段に入金して給油する現金入金手段使用モード、又は、上記現金入力手段は使用不可とする現金入金手段不使用モードで動作する。
【選択図】図１【図１】
0005621080.tif 000002
【図２】
0005621080.tif 000003
【図３】
0005621080.tif 000004
【図４】
0005621080.tif 000005
【図５】
0005621080.tif 000006
【図６】
0005621080.tif 000007